(57)【特許請求の範囲】
【請求項１】
略矩形状の本体部が屈曲されて断面がコの字状とされた突出部が前方へ突出するよう形成されており、該突出部の上面に挟持ボルトが挿通される複数の長孔が形成されていると共に、該突出部のほぼ中央にアンテナを設置可能なポールの基部が固着される取付部が形成されている取付金具と、
該取付金具と対面可能とされ、前記挟持ボルトが挿通される摺動孔が複数形成されている当て金具とを備え、
被取付体の一面に前記取付金具の前記本体部の後面を当接すると共に、前記当て金具の表面を前記被取付体の他面に当接させ、前記当て金具の後面から前記摺動孔内に挿通された前記挟持ボルトを、前記取付金具に形成されている前記長孔内に挿通して、当該挟持ボルトの先端にナットを締着することにより、前記取付金具と前記当て金具とにより前記被取付体を挟持して取り付けることができ、
前記当て金具は、略矩形状の本体部の上縁部と下縁部とを残して屈曲されて断面がコの字状とされた凹部が形成され、該凹部の底面に前記摺動孔が形成されており、前記当て金具の裏面から前記摺動孔内に挿通された前記挟持ボルトにおける多角形とされた頭部が回転不能に前記凹部内に嵌挿されることを特徴とするアンテナ取付金具。
【請求項２】
前記当て金具に、前記凹部の上端縁を一部塞ぐ係止片が形成されており、前記凹部内に嵌挿されている前記挟持ボルトの頭部が前記係止片により係止された際に、前記凹部内から前記挟持ボルトが抜け出ないようにしたことを特徴とする請求項１記載のアンテナ取付金具。
【請求項３】
前記ポールはＬ字状に折曲されており、該ポールの前記基部にほぼ直交するよう挿通孔がそれぞれ形成されており、該挿通孔の一方を用いて前記取付部に前記ポールの前記基部を取り付けるようにしたことを特徴とする請求項１記載のアンテナ取付金具。
【発明の詳細な説明】
【技術分野】
【０００１】
本発明は、ベランダの手摺りにアンテナを設置するに好適なアンテナ取付金具に関する。
【背景技術】
【０００２】
従来のアンテナが設置されるアンテナ取付金具として、ベランダの手摺りにアンテナを設置するためのベランダ取付金具が知られている。従来のベランダ取付金具の一例の構成を示す側面図を図１５に、従来のベランダ取付金具の一例の構成を示す正面図を図１６に、従来のベランダ取付金具の一例の構成を示す上面図を図１７に示す。
これらの図に示す従来のベランダ取付金具１００では、Ｌ字状に折曲されている断面が円形とされたポール１１０の基部が溶接等により矩形形状とされている取付金具１１１のほぼ中央に固着されている。平板状の取付金具１１１の四隅には、ボルトを挿通することのできる長孔１１１ａがそれぞれ形成されている。
【０００３】
従来のベランダ取付金具１００をベランダの手摺りに取り付ける態様を示す斜視図を図１８に示し、ベランダ取付金具１００をベランダの手摺りに取り付けた状態を示す斜視図を図１９に示す。
これらの図に示すように、手摺りにおける格子１５１にベランダ取付金具１００を取り付ける際には、取付金具１１１とほぼ同形状とされた矩形状の当て金具１１２と、取付金具１１１とで格子１５１を挟むように配置する。そして、当て金具１１２の外側から当て金具の四隅に形成されている長孔内にボルト１１３をそれぞれ挿通し、ボルト１１３を格子１５１の間から導出させて取付金具１１１の四隅に形成されている長孔１１１ａにそれぞれ挿通する。そして、取付金具１１１から突出したそれぞれのボルト１１３の先端部から平座金１１４とバネ座金１１５を挿入してナット１１６を螺合する。このナット１１６を、それぞれのボルト１１３に締着することにより、図１９に示すようにベランダ取付金具１００が格子１５１に取り付けられるようになる。格子１５１に取り付けられたベランダ取付金具１００において、ポール１１０には衛星放送受信用のパラボラアンテナや地上デジタル放送受信用のアンテナを設置することができる。
【発明の開示】
【発明が解決しようとする課題】
【０００４】
図１９に示すベランダ取付金具１００が取り付けられた状態の側面図が図２０に示されている。この図２０に示されているように、格子１５１は太い縦方向の枠と笠木１５０により支持されており、太い縦方向の枠は基礎部１５２に固着されている。ベランダの格子１５１にベランダ取付金具１００を取り付ける際に、ベランダの内側にボルト１１３の先端部が突出するような取り付けは行われず、ベランダの外側にボルト１１３の先端部が突出するように取り付けられている。この理由を説明すると、図２０に示す状態とは逆に、ボルト１１３の先端部が内側に突出するようにベランダ取付金具１００が手摺りの格子１５１に取り付けられた状態の側面図が図２１に示されている。図２１に示されているように、この取付状態においてはベランダの内側にボルト１１３の先端部が突出するようになり、ボルト１１３の先端部が他の物に当たったり引っ掛かったりして邪魔になる。そこで、ボルト１１３の先端部が邪魔にならないように、従来のベランダ取付金具１００においては図２０に示すようにボルト１１３の先端部が外側に出るように取り付けられている。
【０００５】
しかしながら、従来のベランダ取付金具１００において、ナット１１６をスパナで咥えて締着しようとすると、ボルト１１３も一緒に回転して締着できないことから、ボルト１１３の頭部とナット１１６とをスパナ２本を用いてそれぞれ咥えて、ボルト１１３の回転を抑えながらナット１１６を締着する必要があった。このように、格子１５１の外部に位置するナット１１６をスパナで咥えると共に、格子１５１の内側に位置するボルト１１３の頭部をスパナで咥えて締着作業を行うことは１人の作業員では容易ではなく、２人の作業員が必要になると云う問題点があった。また、格子１５１の周囲には格子１５１の厚みより厚くされている枠や笠木１５０が取り付けられていることから、スパナで締着する際にスパナが枠や笠木１５０に当たって取付作業がしにくくなるという問題点があった。さらに、枠や笠木１５０にスパナが衝突するとスパナを取り落とすおそれがあった。
【０００６】
そこで、本発明は簡易な作業によりベランダ等の手摺りに取り付けられるアンテナ取付金具を提供することを目的としている。
【課題を解決するための手段】
【０００７】
上記目的を達成するために、本発明のアンテナ取付金具は、被取付体の一面に取付金具の本体部の後面を当接すると共に、当て金具の表面を被取付体の他面に当接させ、当て金具の後面から摺動孔内に挿通された挟持ボルトを、取付金具に形成されている長孔内に挿通して、当該挟持ボルトの先端にナットを締着することにより、取付金具と当て金具とにより被取付体を挟持して取り付け、当て金具は、略矩形状の本体部の上縁部と下縁部とを残して屈曲されて断面がコの字状とされた凹部が形成され、該凹部の底面に摺動孔が形成されており、当て金具の裏面から摺動孔内に挿通された挟持ボルトにおける多角形とされた頭部が回転不能に凹部内に嵌挿されることを最も主要な特徴としている。
【発明の効果】
【０００８】
本発明は、被取付体の一面に取付金具の本体部の後面を当接すると共に、当て金具の表面を被取付体の他面に当接させ、当て金具の後面から摺動孔内に挿通された挟持ボルトを、取付金具に形成されている長孔内に挿通して、当該挟持ボルトの先端にナットを締着することにより、取付金具と当て金具とにより被取付体を挟持して取り付け、この際に、取付金具における長孔が上面に形成されている突出部の前面が被取付体における厚みの厚くされている部位の面を超えるようにされていることから、手摺りの格子にアンテナ取付金具を取り付ける際に、スパナが格子より厚みのある笠木等に衝突することなく挟持ボルトを締着することができるようになる。また、当て金具に形成した凹部内に挟持ボルトにおける多角形とされた頭部が回転不能に嵌挿されるようにすると、挟持ボルトの頭部を咥えるスパナが不要となって１人の作業員により取付作業を簡易に行うことができるようになる。
【発明を実施するための最良の形態】
【０００９】
本発明にかかるアンテナ取付金具の実施例であるベランダ取付金具の構成を示す斜視図を図１に示す。
この図１に示す本発明の実施例であるベランダ取付金具１は、Ｌ字状に折曲されている断面が円形とされた金属製のポール１０の基部が一対の取付ボルト１７により固着される取付金具１１と、取付金具１１に対面するよう配置される当て金具１２とを備えている。取付金具１１と当て金具１２との間には被取付体であるベランダの手摺り等が挟持されて、当て金具１２と取付金具１１とを２本の挟持ボルト１３により連結して、挟持ボルト１３の先端にナット１６を締着することによりベランダ取付金具１がベランダの手摺り等に取り付けられるようになる。
【００１０】
ここで、ポール１０の構成を示す正面図を図５に、ポール１０の構成を示す側面図を図６に、ポール１０の構成を示す上面図を図７に示す。
これらの図に示すように、金属製のポール１０のポール本体１０ａはＬ字状に折曲されており、断面が円形とされている。ポール１０の基部には一対の第１挿通孔１０ｂが形成されていると共に、この第１挿通孔１０ｂにほぼ直交するよう第２挿通孔１０ｃが一対形成されている。第１挿通孔１０ｂあるいは第２挿通孔１０ｃのいずれかに取付ボルト１７がそれぞれ挿通されて、ポール１０が取付金具１１に取り付けられる。この場合、取付ボルト１７が第１挿通孔１０ｂに挿通されてポール１０が取付金具１１に取り付けられた際には、Ｌ字状のポール本体１０ａの折曲されている先端部の延伸方向が取付金具１１の長軸方向に対してほぼ直交するようになる。また、取付ボルト１７が第２挿通孔１０ｃに挿通されてポール１０が取付金具１１に取り付けられた際には、Ｌ字状のポール本体１０ａの折曲されている先端部の延伸方向が取付金具１１の長軸方向とほぼ一致するようになる。このように、取付金具１１が横方向に取り付けられていても縦方向に取り付けられていても、ポール１０の先端部を天頂方向に向けることができるようになる。
【００１１】
次に、取付金具１１の構成を示す正面図を図８に、取付金具１１の構成を示す上面図を図９に、取付金具１１の構成を示す側面図を図１０に示す。
取付金具１１は、矩形状の金属板を加工して作成されており、矩形状の本体部１１ａの上縁部と下縁部とを残して断面がコ字状に屈曲されて突出部１１ｂが形成されている。この突出部１１ｂのほぼ中央部には対面する一対の挟持片１１ｃが形成されている。一対の挟持片１１ｃにおける上側の挟持片１１ｃは上に凸とされる円弧状に形成され、下側の挟持片１１ｃは下に凸とされる円弧状に形成されて、ポール１０の外形形状とほぼ一致するようにされている。上側の挟持片１１ｃの延伸方向には１対の挿通孔１１ｇが形成されていると共に、下側の挟持片１１ｃの延伸方向に１対のネジ部１１ｆが形成されている。この１対の挟持片１１ｃは、ポール１０の基部を挟持する挟持片とされ、一対の挟持片１１ｃの間にポール１０を挿入し、一方の挟持片１１ｃに形成されている挿通孔１１ｇに挿通した取付ボルト１７をポール１０の第１挿通孔１０ｂあるいは第２挿通孔１０ｃのいずれかに挿通して、他方の挟持片１１ｃに形成されているネジ部１１ｆに締着することにより、ポール１０が取付金具１１に取り付けられるようになる。また、挟持片１１ｃの両側における突出部１１ｂの上面にはそれぞれ長孔１１ｄが形成されている。なお、突出部１１ｂの本体部１１ａからの突出高さはｄ１とされている。また、本体部１１ａの四隅に形成されている取付穴１１ｅは、取付金具１１を壁等に取り付ける際にネジをねじ込む取付穴とされる。
【００１２】
次に、当て金具１２の構成を示す正面図を図１１に、当て金具１２の構成を示す上面図を図１２に、当て金具１２の構成を示す側面図を図１３に示す。
当て金具１２は、矩形状の金属板を加工して作成されており、矩形状の本体部１２ａの上縁部と下縁部とを残して断面がコ字状に屈曲されて所定深さの凹部１２ｂが形成されている。この凹部１２ｂの下面には２つの摺動孔１２ｃが中央より左側と右側に形成されている。また、凹部１２ｂの上端縁の一部を塞ぐように上端縁の両側に係止片１２ｅが形成されている。この係止片１２ｅは、本体部１２ａが屈曲されて凹部１２ｂが形成される際に抜き孔１２ｄにより型が抜かれて屈曲されずに本体部１２ａの上縁部と下縁部とから凹部１２ｂ側に図１に示すように突出されて形成されており、１つの摺動孔１２ｃに対して上側に２つ下側に２つの係止片１２ｅが形成されている。なお、凹部１２ｂの幅はｄ２とされており、摺動孔１２ｃに挿通された挟持ボルト１３における六角形等の多角形とされた頭部が凹部１２ｂ内に嵌挿される幅ｄ２とされている。そして、挟持ボルト１３の頭部が凹部１２ｂ内に嵌挿された際に、挟持ボルト１３の頭部の側面が凹部１２ｂの内壁に当接して、凹部１２ｂ内において挟持ボルト１３が回転不能となるように凹部１２ｂの幅ｄ２が決められている。
【００１３】
また、挟持ボルト１３が摺動孔１２ｃに挿通された際の状態を示す当て金具１２の構成を示す背面図が図１４に示されている。図１４に示すように、頭部が六角形とされた挟持ボルト１３は摺動孔１２ｃのほぼ中央とされる２つの係止片１２ｅの間に位置させて摺動孔１２ｃに挿通され、白抜き矢印で示す摺動孔１２ｃの両側の長手方向に摺動可能とされる。挟持ボルト１３を摺動孔１２ｃ内において摺動した際には、挟持ボルト１３の頭部の外側の面が凹部１２ｂ内に延伸されている係止片１２ｅに図示するように当接して挟持ボルト１３が摺動孔１２ｃが抜け出ないようになる。これにより、挟持ボルト１３は当て金具１２から脱落しないと共に、当て金具１２に対して回転不能とされるようになる。
【００１４】
次に、本発明の実施例であるベランダ取付金具１をベランダの手摺りに取り付ける態様を斜視図で図２に示し、本発明の実施例であるベランダ取付金具１をベランダの手摺りに取り付けた状態を斜視図で図３に示す。
本発明の実施例であるベランダ取付金具１をベランダの手摺りに取り付ける際には、取付金具１１の一対の挟持片１１ｃの間にポール１０の基部を挿入し、挟持片１１ｃの挿通孔１１ｇから挿通した取付ボルト１７をポール１０の第１挿通孔１０ｂに挿通して、挟持片１１ｃのネジ部１１ｆに取付ボルト１７の先端を締着する。このようにして、図１に示すようにポール１０を取付金具１１に固着しておく。また、当て金具１２の裏面から摺動孔１２ｃに２本の挟持ボルト１３をそれぞれ挿通し、挟持ボルト１３を摺動孔１２ｃ内において摺動させて挟持ボルト１３が当て金具１２から脱落しないようにしておく。
【００１５】
そして、図２に示すように手摺りにおける複数本の格子５１の外側の面にポール１０を固着した取付金具１１の後面を当接し、この取付金具１１に合わせるようベランダの内側から挟持ボルト１３を備える当て金具１２の表面をあてがっていく。この際に、２本の挟持ボルト１３を複数本の格子５１間を通して取付金具１１の長孔１１ｄ内に挿通していく。次いで、取付金具１１の長孔１１ｄからそれぞれ突出した２本の挟持ボルト１３の先端から平座金１４およびバネ座金１５を挿通し、ナット１６を挟持ボルト１３にそれぞれ螺着していく。この際に、挟持ボルト１３は当て金具１２の凹部１２ｂ内に回転不能かつ抜け出ないよう嵌挿されていることから、スパナでナット１６を咥えて回転させるだけでナット１６を確実に締着することができる。２本の挟持ボルト１３にそれぞれナット１６を締着した状態が図３に示す状態となり、手摺りの格子５１を挟持するようにベランダ取付金具１が取り付けられる。この取付作業は、スパナ１つで行うことができ作業員が１人で簡易に行うことができる。
【００１６】
図１に示す本発明にかかるベランダ取付金具１が取り付けられた状態の側面図が図４に示されている。この図４に示されているように、ベランダの格子５１にベランダ取付金具１を取り付ける際に、ベランダの外側に挟持ボルト１３の先端部が突出するように取り付けられる。また、複数本の格子５１は太い縦方向の枠と笠木５０により支持されており、太い縦方向の枠は基礎部５２に固着されている。すると、ナット１６をスパナで締着する際に従来は枠や笠木５０にスパナが衝突するおそれがあったが、本発明にかかるベランダ取付金具１においては図４に示すように取付金具１１における突出部１１ｂの上面が枠や笠木５０の面を超えて突出するようになる。すなわち、格子５１の面から突出する枠や笠木５０の高さｄ３より突出部１１ｂの高さｄ１は高くされている。これにより、ナット１６をスパナで締着する際に枠や笠木５０にスパナが衝突するおそれがなくなり、スパナが枠や笠木５０に衝突してスパナを取り落とすことを防止することができる。格子５１に取り付けられたベランダ取付金具１において、ポール１０には衛星放送受信用のパラボラアンテナや地上デジタル放送受信用のアンテナを設置することができる。
【産業上の利用可能性】
【００１７】
以上説明した本発明にかかるベランダ取付金具は、ベランダにおける手摺りの格子が縦方向の場合は、図１ないし図４に示すように取り付けることができる。また、手摺りの格子が横方向の場合は取付金具１１および当て金具１２を約９０度回転させて格子に取り付けることができる。この場合、ポール１０の第２挿通孔１０ｃを使用してポール１０を取付金具１１に固着しておくことにより、ポール１０の先端部は天頂方向に向くようになる。また、本発明にかかるベランダ取付金具は、縦方向や横方向に格子のあるところにはベランダに限ることなく取り付けることができる。
【図面の簡単な説明】
【００１８】
【図１】本発明にかかるアンテナ取付金具の実施例であるベランダ取付金具の構成を示す斜視図である。
【図２】本発明の実施例であるベランダ取付金具をベランダの手摺りに取り付ける態様を示す斜視図である。
【図３】本発明の実施例であるベランダ取付金具をベランダの手摺りに取り付けた状態を示す斜視図である。
【図４】本発明にかかるベランダ取付金具が取り付けられた状態を示す側面図である。
【図５】本発明にかかるベランダ取付金具におけるポールの構成を示す正面図である。
【図６】本発明にかかるベランダ取付金具におけるポールの構成を示す側面図である。
【図７】本発明にかかるベランダ取付金具におけるポールの構成を示す上面図である。
【図８】本発明にかかるベランダ取付金具における取付金具の構成を示す正面図である。
【図９】本発明にかかるベランダ取付金具における取付金具の構成を示す上面図である。
【図１０】本発明にかかるベランダ取付金具における取付金具の構成を示す側面図である。
【図１１】本発明にかかるベランダ取付金具における当て金具の構成を示す正面図である。
【図１２】本発明にかかるベランダ取付金具における当て金具の構成を示す上面図である。
【図１３】本発明にかかるベランダ取付金具における当て金具の構成を示す側面図である。
【図１４】本発明にかかるベランダ取付金具における当て金具の構成を示す背面図である。
【図１５】従来のベランダ取付金具の一例の構成を示す側面図である。
【図１６】従来のベランダ取付金具の一例の構成を示す正面図である。
【図１７】従来のベランダ取付金具の一例の構成を示す上面図である。
【図１８】従来のベランダ取付金具をベランダの手摺りに取り付ける態様を示す斜視図である。
【図１９】従来のベランダ取付金具をベランダの手摺りに取り付けた状態を示す斜視図である。
【図２０】従来のベランダ取付金具をベランダの手摺りに取り付けた状態を示す側面図である。
【図２１】従来のベランダ取付金具をベランダの手摺りに取り付けた他の状態を示す側面図である。
【符号の説明】
【００１９】
１  ベランダ取付金具、１０  ポール、１０ａ  ポール本体、１０ｂ  挿通孔、１０ｃ  挿通孔、１１  取付金具、１１ａ  本体部、１１ｂ  突出部、１１ｃ  挟持片、１１ｄ  長孔、１１ｅ  取付穴、１１ｆ  ネジ部、１１ｇ  挿通孔、１２  当て金具、１２ａ  本体部、１２ｂ  凹部、１２ｃ  摺動孔、１２ｄ  抜き孔、１２ｅ  係止片、１３  挟持ボルト、１４  平座金、１５  バネ座金、１６  ナット、１７  取付ボルト、５０  笠木、５１  格子、５２  基礎部、１００  ベランダ取付金具、１１０  ポール、１１１  取付金具、１１１ａ  長孔、１１２  当て金具、１１３  ボルト、１１４  平座金、１１５  バネ座金、１１６  ナット、１５０  笠木、１５１  格子、１５２  基礎部
【図１】
0005047837.tif 000002
【図２】
0005047837.tif 000003
【図３】
0005047837.tif 000004
【図４】
0005047837.tif 000005
【図５】
0005047837.tif 000006
【図６】
0005047837.tif 000007
【図７】
0005047837.tif 000008
【図８】
0005047837.tif 000009
【図９】
0005047837.tif 000010
【図１０】
0005047837.tif 000011
【図１１】
0005047837.tif 000012
【図１２】
0005047837.tif 000013
【図１３】
0005047837.tif 000014
【図１４】
0005047837.tif 000015
【図１５】
0005047837.tif 000016
【図１６】
0005047837.tif 000017
【図１７】
0005047837.tif 000018
【図１８】
0005047837.tif 000019
【図１９】
0005047837.tif 000020
【図２０】
0005047837.tif 000021
【図２１】
0005047837.tif 000022